(57)【要約】【課題】使用者に左ドアボタンが無効化されていることを確実に知らせること。【解決手段】左ドア操作装置２５の電磁ソレノイド２６が異常昇温していないときには使用者が左ドアボタンを操作することに基づいて左ドア操作装置２５が作動し、左ドア７が閉鎖状態から前方へ移動操作される。この左ドア操作装置２５の電磁ソレノイド２６が異常昇温しているときにはブザーから使用者に音が出力され、左ドアボタンを操作しても左ドア操作装置２５が作動しないことが音で報知される。このため、左ドア７の前面に表示器が設けられていない場合であっても使用者に左ドアボタンが無効化されていることを知らせることができる。【選択図】図２
2009063180.tif 000002
【特許請求の範囲】
【請求項１】
前面が開口する箱状のキャビネットと、
前記キャビネットの内部に設けられ、前面が開口する空間状をなすものであって冷気が供給される貯蔵室と、
前記貯蔵室の前面を閉鎖する閉鎖状態および前記貯蔵室の前面を開放する開放状態相互間で移動可能に設けられたドアと、
使用者が前方から操作することが可能な操作子と、
前記操作子が操作されたか否かに応じて電気的な状態が相互に変化するスイッチと、
前記ドアの閉鎖状態で作動することに基づいて前記ドアを閉鎖状態から前方へ移動操作するものであって、電気的な駆動源を有するドア操作装置と、
使用者に音を出力する出音器と、
前記ドア装置操作の駆動源を制御するものであって、前記ドア操作装置の駆動源が異常昇温しているか否かを判断する処理および前記スイッチの電気的な状態に基づいて前記操作子が操作されたか否かを判断する処理のそれぞれを行う制御回路を備え、
前記制御回路は、
前記ドア操作装置の駆動源が異常昇温していないことを判断しているときには前記操作子が操作されたことを検出することに基づいて前記ドア操作装置の駆動源を作動させ、前記ドア操作装置の駆動源が異常昇温していることを判断しているときには前記操作子が操作されても前記ドア操作装置の駆動源を作動させない処理を行うものであって、
前記ドア操作装置の駆動源が異常昇温していることを判断しているときには前記出音器から音を出力することに基づいて前記ドア操作装置の駆動源が作動しない動作禁止状態にあることを使用者に報知する処理を行うことを特徴とする冷蔵庫。
【請求項２】
前面が開口する箱状のキャビネットと、
前記キャビネットの内部に設けられ、前面が開口する空間状をなすものであって冷気が供給される第１の貯蔵室と、
前記キャビネットの内部に設けられ、前面が開口する空間状をなすものであって冷気が供給される第２の貯蔵室と、
前記第１の貯蔵室の前面を閉鎖する閉鎖状態および前記第１の貯蔵室の前面を開放する開放状態相互間で移動可能に設けられた第１のドアと、
前記第１の貯蔵室の前面を閉鎖する閉鎖状態および前記第１の貯蔵室の前面を開放する開放状態相互間または前記第２の貯蔵室の前面を閉鎖する閉鎖状態および前記第２の貯蔵室の前面を開放する開放状態相互間で移動可能に設けられた第２のドアと、
使用者が前方から操作することが可能な第１の操作子と、
前記第１の操作子が操作されたか否かに応じて電気的な状態が相互に変化する第１のスイッチと、
使用者が前方から操作することが可能な第２の操作子と、
前記第２の操作子が操作されたか否かに応じて電気的な状態が相互に変化する第２のスイッチと、
前記第１のドアの閉鎖状態で作動することに基づいて前記第１のドアを閉鎖状態から前方へ移動操作するものであって、電気的な駆動源を有する第１のドア操作装置と、
前記第２のドアの閉鎖状態で作動することに基づいて前記第２のドアを閉鎖状態から前方へ移動操作するものであって、電気的な駆動源を有する第２のドア操作装置と、
前記第１の貯蔵室内に設けられ、前記第１のドアの開放状態で前方から視覚的に認識可能な表示器と、
前記第１のドア装置操作の駆動源および前記第２のドア装置操作の駆動源のそれぞれを制御するものであって、前記第１のドア操作装置の駆動源が異常昇温しているか否かを判断する処理と前記第２のドア操作装置の駆動源が異常昇温しているか否かを判断する処理と前記第１のスイッチの電気的な状態に基づいて前記第１の操作子が操作されたか否かを判断する処理と前記第２のスイッチの電気的な状態に基づいて前記第２の操作子が操作されたか否かを判断する処理のそれぞれを行う制御回路を備え、
前記制御回路は、
前記第１のドア操作装置の駆動源が異常昇温していないことを判断しているときには前記第１の操作子が操作されたことを検出することに基づいて前記第１のドア操作装置の駆動源を作動させ、前記第１のドア操作装置の駆動源が異常昇温していることを判断しているときには前記第１の操作子が操作されても前記第１のドア操作装置の駆動源を作動させない処理を行い、
前記第２のドア操作装置の駆動源が異常昇温していないことを判断しているときには前記第２の操作子が操作されたことを検出することに基づいて前記第２のドア操作装置の駆動源を作動させ、前記第２のドア操作装置の駆動源が異常昇温していることを判断しているときには前記第２の操作子が操作されても前記第２のドア操作装置の駆動源を作動させない処理を行い、
前記第２のドア操作装置の駆動源が異常昇温していることを判断しているときには前記第１のドア操作装置の駆動源が異常昇温していないことを条件に前記表示器に前記第２のドア操作装置の駆動源が作動しない動作禁止状態にあることを表示する処理および前記第１のドア操作装置の駆動源を作動することに基づいて前記第１のドアを閉鎖状態から前方へ操作する処理のそれぞれを行うことを特徴とする冷蔵庫。
【発明の詳細な説明】
【技術分野】
【０００１】
本発明は貯蔵室のドアを貯蔵室の前面を閉鎖する閉鎖状態から前方へ移動操作するドア操作装置を備えた冷蔵庫に関する。
【背景技術】
【０００２】
上記冷蔵庫には操作子が操作されたときには電磁ソレノイドのソレノイドコイルに駆動電源を印加し、電磁ソレノイドのプランジャを後から前へ移動操作することに基づいてドアを閉鎖状態から前方へ押圧操作する構成のものがある。この構成の場合、電磁ソレノイドが異常昇温しているか否かを推測し、電磁ソレノイドが異常昇温していることが推測されているときには操作子が操作されたときであってもソレノイドコイルに駆動電源を印加しないようにすることで操作子を無効化している。
【特許文献１】特開２００１−８２８６７号公報
【発明の開示】
【発明が解決しようとする課題】
【０００３】
上記冷蔵庫の場合、ドアに表示器が前方から視覚的に認識可能に設けられており、電磁ソレノイドが異常昇温していることが推測されているときには表示器に異常メッセージを表示することで操作子が無効化されていることを使用者に報知している。しかしながら、ドアに表示器が設けられていない場合には使用者に操作子が無効化されていることを報知することができず、使用者に機能不良と誤解される虞がある。
【０００４】
本発明は上記事情に鑑みてなされたものであり、その目的はドアに表示器が設けられていない場合であっても使用者に操作子が無効化されていることを報知することができる冷蔵庫を提供することにある。
【課題を解決するための手段】
【０００５】
請求項１記載の冷蔵庫は、前面が開口する箱状のキャビネットと、前記キャビネットの内部に設けられ前面が開口する空間状をなすものであって冷気が供給される貯蔵室と、前記貯蔵室の前面を閉鎖する閉鎖状態および前記貯蔵室の前面を開放する開放状態相互間で移動可能に設けられたドアと、使用者が前方から操作することが可能な操作子と、前記操作子が操作されたか否かに応じて電気的な状態が相互に変化するスイッチと、前記ドアの閉鎖状態で作動することに基づいて前記ドアを閉鎖状態から前方へ移動操作するものであって電気的な駆動源を有するドア操作装置と、使用者に音を出力する出音器と、前記ドア装置操作の駆動源を制御するものであって前記ドア操作装置の駆動源が異常昇温しているか否かを判断する処理および前記スイッチの電気的な状態に基づいて前記操作子が操作されたか否かを判断する処理のそれぞれを行う制御回路を備え、前記制御回路は前記ドア操作装置の駆動源が異常昇温していないことを判断しているときには前記操作子が操作されたことを検出することに基づいて前記ドア操作装置の駆動源を作動させ、前記ドア操作装置の駆動源が異常昇温していることを判断しているときには前記操作子が操作されても前記ドア操作装置の駆動源を作動させない処理を行うものであって、前記ドア操作装置の駆動源が異常昇温していることを判断しているときには前記出音器から音を出力することに基づいて前記ドア操作装置の駆動源が作動しない動作禁止状態にあることを使用者に報知する処理を行うところに特徴を有する。
【０００６】
請求項２記載の冷蔵庫は、前面が開口する箱状のキャビネットと、前記キャビネットの内部に設けられ前面が開口する空間状をなすものであって冷気が供給される第１の貯蔵室と、前記キャビネットの内部に設けられ前面が開口する空間状をなすものであって冷気が供給される第２の貯蔵室と、前記第１の貯蔵室の前面を閉鎖する閉鎖状態および前記第１の貯蔵室の前面を開放する開放状態相互間で移動可能に設けられた第１のドアと、前記第１の貯蔵室の前面を閉鎖する閉鎖状態および前記第１の貯蔵室の前面を開放する開放状態相互間または前記第２の貯蔵室の前面を閉鎖する閉鎖状態および前記第２の貯蔵室の前面を開放する開放状態相互間で移動可能に設けられた第２のドアと、使用者が前方から操作することが可能な第１の操作子と、前記第１の操作子が操作されたか否かに応じて電気的な状態が相互に変化する第１のスイッチと、使用者が前方から操作することが可能な第２の操作子と、前記第２の操作子が操作されたか否かに応じて電気的な状態が相互に変化する第２のスイッチと、前記第１のドアの閉鎖状態で作動することに基づいて前記第１のドアを閉鎖状態から前方へ移動操作するものであって電気的な駆動源を有する第１のドア操作装置と、前記第２のドアの閉鎖状態で作動することに基づいて前記第２のドアを閉鎖状態から前方へ移動操作するものであって電気的な駆動源を有する第２のドア操作装置と、  前記第１の貯蔵室内に設けられ前記第１のドアの開放状態で前方から視覚的に認識可能な表示器と、前記第１のドア装置操作の駆動源および前記第２のドア装置操作の駆動源のそれぞれを制御するものであって前記第１のドア操作装置の駆動源が異常昇温しているか否かを判断する処理と前記第２のドア操作装置の駆動源が異常昇温しているか否かを判断する処理と前記第１のスイッチの電気的な状態に基づいて前記第１の操作子が操作されたか否かを判断する処理と前記第２のスイッチの電気的な状態に基づいて前記第２の操作子が操作されたか否かを判断する処理のそれぞれを行う制御回路を備え、前記制御回路は前記第１のドア操作装置の駆動源が異常昇温していないことを判断しているときには前記第１の操作子が操作されたことを検出することに基づいて前記第１のドア操作装置の駆動源を作動させ、前記第１のドア操作装置の駆動源が異常昇温していることを判断しているときには前記第１の操作子が操作されても前記第１のドア操作装置の駆動源を作動させない処理を行い、前記第２のドア操作装置の駆動源が異常昇温していないことを判断しているときには前記第２の操作子が操作されたことを検出することに基づいて前記第２のドア操作装置の駆動源を作動させ、前記第２のドア操作装置の駆動源が異常昇温していることを判断しているときには前記第２の操作子が操作されても前記第２のドア操作装置の駆動源を作動させない処理を行い、前記第２のドア操作装置の駆動源が異常昇温していることを判断しているときには前記第１のドア操作装置の駆動源が異常昇温していないことを条件に前記表示器に前記第２のドア操作装置の駆動源が作動しない動作禁止状態にあることを表示する処理および前記第１のドア操作装置の駆動源を作動することに基づいて前記第１のドアを閉鎖���態から前方へ操作する処理のそれぞれを行うところに特徴を有する。
【発明の効果】
【０００７】
１．請求項１記載の冷蔵庫の作用および効果の説明
ドア操作装置の駆動源が異常昇温していないときには使用者が操作子を操作することに基づいてドア操作装置が作動し、ドアを閉鎖状態から前方へ移動操作する。このドア操作装置の駆動源が異常昇温しているときには出力器から使用者に音が出力され、操作子を操作してもドア操作装置が作動しないことが使用者に音で報知される。このため、ドアに表示器が設けられていない場合であっても使用者に操作子が無効化されていることを報知することができる。
２．請求項２記載の冷蔵庫の作用および効果の説明
第１のドア操作装置の駆動源が異常昇温していないときには使用者が第１の操作子を操作することに基づいて第１のドア操作装置が作動し、第１のドアを閉鎖状態から前方へ移動操作する。第２のドア操作装置の駆動源が異常昇温していないときには使用者が第２の操作子を操作することに基づいて第２のドア操作装置が作動し、第２のドアを閉鎖状態から前方へ移動操作する。この第２のドア操作装置の駆動源が異常昇温しているときには第１のドア操作装置の駆動源が異常昇温していないことを条件に第２のドア操作装置の異常が表示器に表示され、第１のドア操作装置の駆動源が作動することに基づいて第１のドアを閉鎖状態から前方へ操作する。このため、表示器の表示内容が視覚的に認識可能になるので、第１のドアおよび第２のドアのそれぞれに表示器が設けられていない場合であっても使用者に第２の操作子が無効化されていることを報知することができる。
【発明を実施するための最良の形態】
【０００８】
［実施例１］
キャビネット１は、図１に示すように、外箱２と内箱３と断熱材４（図２参照）から構成されたものである。外箱２および内箱３のそれぞれは前面が開口する縦長な長方形状をなすものであり、底板と左側板と右側板と天板と後板を有している。この外箱２の底板〜後板のそれぞれは鋼板からなるものであり、内箱３の底板〜後板のそれぞれは合成樹脂からなるものであり、内箱３は両底板相互間〜両後板相互間のそれぞれに空間部が形成されるように外箱２の内部に収納され、断熱材４は、図２に示すように、両底板相互間の空間部〜両後板相互間の空間部のそれぞれに充填されている。
【０００９】
キャビネット１の内部には、図１に示すように、水平な断熱仕切壁５が固定されている。この断熱仕切壁５は中空状のケース内に発泡スチロール等の固形状の断熱材を収納することから構成されたものであり、キャビネット１の内部には断熱仕切壁５の上方に位置して冷蔵室６が形成されている。この冷蔵室６は前面が開口する空間部を称するものであり、貯蔵室および第１の貯蔵室のそれぞれに相当する。この冷蔵室６の室壁には後面に位置して冷気吹出口が固定されており、冷蔵室６内は冷気吹出口から冷気が供給されることに基づいて食品を冷蔵保存することが可能な温度帯域にコントロールされる。
【００１０】
キャビネット１には、図１に示すように、冷蔵室６の前方に位置して左ドア７および右ドア８のそれぞれが装着されている。左ドア７は冷蔵室６の前面のうち左半部を閉鎖する閉鎖状態および左半部を開放する開放状態相互間で垂直な軸９を中心に回動可能にされたものであり、ドアおよび第２のドアのそれぞれに相当する。右ドア８は冷蔵室６の前面のうち右半部を閉鎖する閉鎖状態および右半部を開放する開放状態相互間で垂直な軸１０を中心に回動可能にされたものであり、ドアおよび第１のドアのそれぞれに相当する。これら左ドア７および右ドア８のそれぞれの後面には、図２に示すように、ゴム製のガスケット１１が固定されている。左ドア７のガスケット１１は左ドア７を取囲む枠状をなすものであり、左ドア７の閉鎖状態で冷蔵室６の室壁に前方から接触する。右ドア８のガスケット１１は右ドア８を取囲む枠状をなすものであり、右ドア８の閉鎖状態で冷蔵室６の室壁に前方から接触する。
【００１１】
キャビネット１の内部には、図１に示すように、断熱仕切壁５の下方に位置して冷凍エリアが形成されている。この冷凍エリアは前面が開口する空間部を称するものであり、キャビネット１には、図３に示すように、冷凍エリア内に位置して前板１２が固定されている。この前板１２は左右方向へ延びる垂直な板状をなすものであり、前板１２の後面には前板１２に沿って左右方向へ延びる前枠１３が固定され、冷凍エリア内は、図１に示すように、前枠１３の下方の下冷凍室１４と前枠１３の左上方の製氷室１５と前枠１３の右上方の上冷凍室１６に区分けされている。これら下冷凍室１４と製氷室１５と上冷凍室１６のそれぞれの室壁には、図３に示すように、後面に位置して冷気吹出口１７が固定されており、下冷凍室１４内と製氷室１５内と上冷凍室１６内のそれぞれは冷気吹出口１７から冷気が供給されることに基づいて食品を冷凍保存することが可能な温度帯域にコントロールされる。この下冷凍室１４は貯蔵室および第２の貯蔵室のそれぞれに相当するものである。
【００１２】
キャビネット１には、図１に示すように、下冷凍室１４の前方に位置して下スライドドア１８が装着されており、下スライドドア１８の後面には、図３に示すように、下スライドドア１８を取囲む枠状のビード１９が形成されている。この下スライドドア１８はドアおよび第２のドアのそれぞれに相当するものであり、下冷凍室１４の前面を閉鎖する閉鎖状態および下冷凍室１４の前面を開放する開放状態相互間で前後方向へ直線的に移動可能にされている。キャビネット１には、図１に示すように、製氷室１５の前方に位置して左スライドドア２０が装着され、上冷凍室１６の前方に位置して右スライドドア２１が装着されている。これら左スライドドア２０および右スライドドア２１のそれぞれは前後方向へ直線的に移動可能にされたものであり、製氷室１５の前面は左スライドドア２０が前後方向へ直線的に移動操作されることに基づいて開閉され、上冷凍室１６の前面は右スライドドア２１が前後方向へ直線的に移動操作されることに基づいて開閉される。
【００１３】
下スライドドア１８と左スライドドア２０と右スライドドア２１のそれぞれの後面には、図３に示すように、ゴム製のガスケット２２が固定されている。下スライドドア１８のガスケット２２は下スライドドア１８を取囲む枠状をなすものであり、下スライドドア１８の閉鎖状態で下冷凍室１４の室壁に前方から接触する。左スライドドア２０のガスケット２２は左スライドドア２０を取囲む枠状をなすものであり、左スライドドア２０の閉鎖状態で製氷室１５の室壁に前方から接触する。右スライドドア２１のガスケット２２は右スライドドア２１を取囲む枠状をなすものであり、右スライドドア２１の閉鎖状態で上冷凍室１６の室壁に前方から接触する。
【００１４】
キャビネット１の上面には、図１に示すように、左ドア７の後方に位置して凹部２３が形成されている。この凹部２３は、図２に示すように、上面が開口するものであり、凹部２３の上面はキャビネット１の上面にカバー２４を装着することに基づいて閉鎖されている。この凹部２３内にはドア操作装置および第２のドア操作装置のそれぞれに相当する左ドア操作装置２５が収納されており、左ドア操作装置２５はカバー２４によって視覚的に認識不能に覆われている。この左ドア操作装置２５は電磁ソレノイド２６を駆動源とするものであり、次のように構成されている。
【００１５】
電磁ソレノイド２６は、図２に示すように、凹部２３内に収納されたものであり、ソレノイドコイル２７およびプランジャ２８を備えている。ソレノイドコイル２７は前面および後面のそれぞれが開口する筒状をなすものであり、プランジャ２８はソレノイドコイル２７の内部に前後方向へ直線的に移動可能に挿入されている。このプランジャ２８は前後方向へ延びる円柱状をなすものであり、凹部２３内にはプランジャ２８の後方に位置してストッパ２９が固定されている。
【００１６】
プランジャ２８の後端部には、図２に示すように、鍔部３０が固定されている。この鍔部３０はプランジャ２８に比べて直径寸法が大きな円板状をなすものであり、プランジャ２８の外周面には鍔部３０およびソレノイドコイル２７相互間に位置してリターンスプリング３１が挿入されている。このリターンスプリング３１は圧縮コイルスプリングからなるものであり、プランジャ２８はソレノイドコイル２７のオフ状態でプランジャ２８の後端部がストッパ２９に接触した後退位置にリターンスプリング３１のバネ力で操作され、ソレノイドコイル２７のオン状態でリターンスプリング３１の線材相互間が接触した前進位置にリターンスプリング３１のバネ力に抗して操作される。
【００１７】
プランジャ２８には、図２に示すように、前後方向へ延びるロッド３２が固定されている。このロッド３２はプランジャ２８に対して同心な円柱状をなすものであり、ロッド３２の前端部には円柱状のプッシャ３３が固定されている。このプッシャ３３はソレノイドコイル２７のオフ状態でプランジャ２８を介して後退位置に操作されるものであり、プッシャ３３の後退位置ではプッシャ３３が左ドア７の後面に隙間を介して対向する。このプッシャ３３はソレノイドコイル２７のオン状態でプランジャ２８を介して前進位置に操作されるものであり、プッシャ３３が左ドア７の閉鎖状態で後退位置から前進位置へ移動したときには左ドア７の後面を後から前に向けて押圧することに基づいて左ドア８を閉鎖状態から前方へ回動操作する。左ドア操作装置２５は以上のように構成されている。
【００１８】
キャビネット１の上面には、図１に示すように、右ドア８の後方に位置して凹部２３が形成されており、凹部２３の上面はカバー２４によって閉鎖されている。この凹部２３内にはドア操作装置および第１のドア操作装置のそれぞれに相当する右ドア操作装置３４（図２参照）が収納されている。この右ドア操作装置３４は、図２に示すように、電磁ソレノイド２６とストッパ２９と鍔部３０とリターンスプリング３１とロッド３２とプッシャ３３を有するものであり、右ドア操作装置３４のプッシャ３３はソレノイドコイル２７のオフ状態でプランジャ２８を介して後退位置に操作され、ソレノイドコイル２７のオン状態でプランジャ２８を介して前進位置に操作される。この右ドア操作装置３４のプッシャ３３は後退位置で右ドア８の後面に隙間を介して対向するものであり、右ドア操作装置３４のプッシャ３３が右ドア８の閉鎖状態で後退位置から前進位置へ移動したときには右ドア８の後面を後から前に向けて押圧することに基づいて右ドア８を閉鎖状態から前方へ回動操作する。
【００１９】
前枠１３には、図３に示すように、水平な板状のベース３５が固定されており、ベース３５にはドア操作装置および第２のドア操作装置のそれぞれに相当する下スライドドア操作装置３６が固定されている。この下スライドドア操作装置３６は電磁ソレノイド３７を駆動源とするものであり、次のように構成されている。ベース３５にはボックス３８が固定されており、ボックス３８の内部には電磁ソレノイド３７が収納されている。この電磁ソレノイド３７はソレノイドコイル３９およびプランジャ４０を有するものであり、ソレノイドコイル３９は前面および後面のそれぞれが開口する筒状をなしている。プランジャ４０はソレノイドコイル３９の内部に前後方向へ直線的に移動可能に挿入されたものであり、前後方向へ延びる円柱状をなしている。
【００２０】
プランジャ４０の後端部には、図３に示すように、鍔部４１が固定されている。この鍔部４１はプランジャ４０に比べて直径寸法が大きな円板状をなすものであり、プランジャ４０の外周面には鍔部４１およびソレノイドコイル３９相互間に位置してリターンスプリング４２が挿入されている。このリターンスプリング４２は圧縮コイルスプリングからなるものであり、プランジャ４０はソレノイドコイル３９のオフ状態でプランジャ４０の後端部がボックス３８の後板に接触した後退位置にリターンスプリング４２のバネ力で操作され、ソレノイドコイル３９のオン状態でリターンスプリング４２の線材相互間が接触した前進位置にリターンスプリング４２のバネ力に抗して操作される。
【００２１】
プランジャ４０には、図３に示すように、前後方向へ延びるロッド４３が固定されている。このロッド４３はプランジャ４０に対して同心な円柱状をなすものであり、ロッド４３の前端部にはアーム４４の後端部が固定されている。このアーム４４の前端部には垂直な板状のプッシャ４５が曲折されている。このプッシャ４５はソレノイドコイル３９のオフ状態でプランジャ４０を介して後退位置に操作されるものであり、プッシャ４５の後退位置ではプッシャ４５が下スライドドア１８のビード１９の後面に隙間を介して対向する。このプッシャ４５はソレノイドコイル３９のオン状態でプランジャ４０を介して前進位置に操作されるものであり、プッシャ４５が下スライドドア１８の閉鎖状態で後退位置から前進位置へ移動したときにはビード１９の後面を後から前に向けて押圧することに基づいて下スライドドア１８を閉鎖状態から前方へ移動操作する。下スライドドア操作装置３６は以上のように構成されている。
【００２２】
キャビネット１内には、図４に示すように、マイクロコンピュータを主体に構成された制御回路４６が収納されている。この制御回路４６はＣＰＵとＲＯＭとＲＡＭを有するものであり、左ドア操作装置２５のソレノイドコイル２７を駆動制御することに基づいて左ドア７を閉鎖状態から前方へ操作し、右ドア操作装置３４のソレノイドコイル２７を駆動制御することに基づいて右ドア８を閉鎖状態から前方へ操作し、下スライドドア操作装置３６のソレノイドコイル３９を駆動制御することに基づいて下スライドドア１８を閉鎖状態から前方へ操作する。この制御回路４６にはサーミスタからなる温度センサ４７が接続されている。この温度センサ４７はキャビネット１の表面に装着されたものであり、制御回路４６のＣＰＵは温度センサ４７から出力される温度信号に基づいてキャビネット１が設置された部屋内の温度である室温を検出する。
【００２３】
制御回路４６には、図４に示すように、ブザー４８が接続されている。このブザー４８は出力器に相当するものであり、図１に示すように、外箱１の後板に装着されている。この外箱１の後板にはブザー４８の後方に位置して網状のカバーが固定されており、ブザー４８の作動時にはカバーを通して外箱１の外部に音が出力される。制御回路４６には、図４に示すように、表示器４９が接続されている。この表示器４９は、図１に示すように、冷蔵室６の右側壁に固定されたものであり、左ドア７および右ドア８のそれぞれが閉鎖された状態では表示器４９の表示内容が視覚的に認識不能になり、右ドア８が開放された状態では表示器４９の表示内容が視覚的に認識可能になる。この表示器４９は液晶表示器からなるものであり、制御回路４６は表示器４９に冷蔵室６の庫内温度等の運転情報を表示する。
【００２４】
左ドア７には、図１に示すように、左ドアボタン５０が装着され、右ドア８には右ドアボタン５１が装着され、下スライドドア１８には下スライドドアボタン５２が装着されている。これら左ドアボタン５０と右ドアボタン５１と下スライドドアボタン５２のそれぞれは使用者が前方から操作可能なものであり、初期位置および初期位置より後方の押込み位置相互間で前後方向へ直線的に移動可能にされている。これら左ドアボタン５０と右ドアボタン５１と下スライドドアボタン５２のそれぞれは操作子に相当するものであり、左ドアボタン５０および下スライドドアボタン５２のそれぞれは第２の操作子に相当し、右ドアボタン５１は第１の操作子に相当する。
【００２５】
制御回路４６には、図４に示すように、左ドア開放スイッチ５３と右ドア開放スイッチ５４と下スライドドア開放スイッチ５５のそれぞれが接続されている。左ドア開放スイッチ５３は左ドアボタン５０が押込み位置に操作されていない状態でオフされるものであり、左ドアボタン５０が初期位置から押込み位置に操作されることに基づいてオンされる。右ドア開放スイッチ５４は右ドアボタン５１が押込み位置に操作されていない状態でオフされるものであり、右ドアボタン５１が初期位置から押込み位置に操作されることに基づいてオンされる。下スライドドア開放スイッチ５５は下スライドドアボタン５２が押込み位置に操作されていない状態でオフされるものであり、下スライドドアボタン５２が初期位置から押込み位置に操作されることに基づいてオンされる。これら左ドア開放スイッチ５３と右ドア開放スイッチ５４と下スライドドア開放スイッチ５５のそれぞれはスイッチに相当するものであり、左ドア開放スイッチ５３および下スライドドア開放スイッチ５５のそれぞれは第２のスイッチに相当し、右ドア開放スイッチ５４は第１のスイッチに相当する。
【００２６】
制御回路４６には、図４に示すように、左ドアスイッチ５６と右ドアスイッチ５７と下スライドドアスイッチ５８のそれぞれが接続されている。左ドアスイッチ５６は左ドア７が閉鎖状態に操作されている場合にオンされるものであり、左ドア７が閉鎖状態に操作されていない場合にはオフされる。右ドアスイッチ５７は右ドア８が閉鎖状態に操作されている場合にオンされるものであり、右ドア８が閉鎖状態に操作されていない場合にはオフされる。下スライドドアスイッチ５８は下スライドドア１８が閉鎖状態に操作されている場合にオンされるものであり、下スライドドア１８が閉鎖状態に操作されていない場合にはオフされる。
【００２７】
制御回路４６のＲＯＭには制御プログラムが予め記録されており、制御回路４６のＣＰＵは左ドア操作装置２５のソレノイドコイル２７と右ドア操作装置３４のソレノイドコイル２７と下スライドドア操作装置３６のソレノイドコイル３９のそれぞれを制御プログラムに基づいて駆動制御する。以下、制御回路４６の処理内容を図５〜図８のそれぞれに基づいて説明する。
【００２８】
ＣＰＵは電源が投入されると、図５のステップＳ１で異常昇温フラグＦｌをオフし、ステップＳ２で異常昇温フラグＦｒをオフし、ステップＳ３で異常昇温フラグＦｄをオフする。異常昇温フラグＦｌは左ドア操作装置２５の電磁ソレノイド２６の異常昇温の有無を示すものであり、左ドア操作装置２５の電磁ソレノイド２６が異常昇温していない正常状態でオフされ、左ドア操作装置２５の電磁ソレノイド２６が異常昇温している異常状態でオンされる。異常昇温フラグＦｒは右ドア操作装置３４の電磁ソレノイド２６の異常昇温の有無を示すものであり、右ドア操作装置３４の電磁ソレノイド２６が異常昇温していない正常状態でオフされ、右ドア操作装置３４の電磁ソレノイド２６が異常昇温している異常状態でオンされる。異常昇温フラグＦｄは下スライドドア操作装置３６の電磁ソレノイド３７の異常昇温の有無を示すものであり、下スライドドア操作装置３６の電磁ソレノイド３７が異常昇温していない正常状態でオフされ、下スライドドア操作装置３６の電磁ソレノイド３７が異常昇温している異常状態でオンされる。
【００２９】
ＣＰＵはステップＳ３で異常昇温フラグＦｄをオフすると、ステップＳ４で温度センサ４７から出力される温度信号に基づいて室温を検出し、ステップＳ５でＲＯＭに予め記録された定数Ｋを室温の検出結果に乗算することに基づいてポイントＰｏを初期設定する。この定数Ｋは「１０」に設定されたものであり、例えば室温の検出結果が「３０℃」であるときにはポイントＰｏが「３００（＝１０×３０）」に初期設定される。
【００３０】
ＣＰＵはステップＳ５でポイントＰｏを初期設定すると、ステップＳ６でポイントＰｏの初期設定結果をカウンタＮｌにセットし、ステップＳ７でポイントＰｏの初期設定結果をカウンタＮｒにセットし、ステップＳ８でポイントＰｏの初期設定結果をカウンタＮｄにセットする。カウンタＮｌは左ドア操作装置２５の電磁ソレノイド２６が異常昇温しているか否かを推測するための基礎データであり、カウンタＮｒは右ドア操作装置３４の電磁ソレノイド２６が異常昇温しているか否かを推測するための基礎データであり、カウンタＮｄは下スライドドア操作装置３６の電磁ソレノイド３７が異常昇温しているか否かを推測するための基礎データである。
【００３１】
ＣＰＵはステップＳ８でカウンタＮｄを初期設定すると、ステップＳ９でタイマＴを「０」にリセットする。このタイマＴはＣＰＵが一定の時間間隔でタイマ割込み処理を起動し、タイマ割込み処理を起動する毎に単位値だけ加算するものであり、ＣＰＵはステップＳ９でタイマＴをリセットしたときにはステップＳ１０の左ドア開放処理へ移行する。
【００３２】
図６は左ドア開放処理の詳細を示すものであり、ＣＰＵはステップＳ２１で左ドア開放スイッチ５３がオンされているか否かを判断する。例えば使用者が左ドアボタン５０を押込み位置に操作していないときにはＣＰＵはステップＳ５で左ドア開放スイッチ５３がオンされていないことを判断し、ステップＳ２６へ移行する。
【００３３】
ＣＰＵは左ドアボタン５０が押込み位置に操作されたときにはステップＳ２１で左ドア開放スイッチ５３がオンされていることを判断し、ステップＳ２２で左ドアスイッチ５６がオンされているか否かを判断する。例えば左ドア７が閉鎖状態に操作されていないときにはＣＰＵはステップＳ２２で左ドアスイッチ５６がオンされていないことを判断し、ステップＳ２６へ移行する。
【００３４】
ＣＰＵは左ドア７が閉鎖状態に操作されているときにはステップＳ２２で左ドアスイッチ５６がオンされていることを判断し、ステップＳ２３で異常昇温フラグＦｌがオフされているか否かを判断する。例えば左ドア操作装置２５の電磁ソレノイド２６が異常昇温しているときには異常昇温フラグＦｌがオンされており、ＣＰＵはステップＳ２３で異常昇温フラグＦｌがオンされていることを判断してステップＳ２６へ移行する。
【００３５】
ＣＰＵは左ドア操作装置２５の電磁ソレノイド２６が異常昇温していないときにはステップＳ２３で異常昇温フラグＦｌがオフされていることを判断し、ステップＳ２４で左ドア操作装置２５のソレノイドコイル２７に駆動電源を印加する。この駆動電源の印加はＲＯＭに予め記録されたオン時間（例えば０．５ｓｅｃ）だけ継続して行われるものであり、ＣＰＵはステップＳ２４で左ドア操作装置２５のソレノイドコイル２７に駆動電源を印加したときにはステップＳ２５へ移行し、カウンタＮｌにＲＯＭに予め記録された単位値（例えば４）を加算する。即ち、左ドア操作装置２５の電磁ソレノイド２６が異常昇温しておらず左ドア７が閉鎖状態に操作されている状態で使用者が左ドアボタン５０を押込み位置に操作した場合には左ドア操作装置２５のソレノイドコイル２７がオンされ、左ドア７が閉鎖状態から前方へ操作される。
【００３６】
ＣＰＵはステップＳ２６へ移行すると、タイマＴの加算結果をＲＯＭに予め記録された限度時間（例えば３時間）と比較する。ここでタイマＴの加算結果が限度時間に到達していないことを判断したときにはステップＳ２７へ移行し、カウンタＮｌの計測結果を異常判定値（例えば１０００）と比較する。この異常判定値は制御回路４６のＲＯＭに予め記録されたものであり、ＣＰＵはステップＳ２７で「Ｎｌ＜１０００」を判断したときにはステップＳ３２へ移行し、異常昇温フラグＦｌをオフすることに基づいて左ドア操作装置２５の電磁ソレノイド２６が異常昇温していないことを記録する。そして、ステップＳ３３へ移行し、ブザー４８をオフする。
【００３７】
ＣＰＵはステップＳ３３でブザー４８をオフすると、ステップＳ３４でタイマＴの加算結果をＲＯＭに予め記録された単位時間「６０ｓｅｃ×Ｎ（Ｎは自然数）」と比較する。ここで「Ｔ＝６０ｓｅｃ×Ｎ」であることを判断したときにはステップＳ３５へ移行し、カウンタＮｌの計測結果をＲＯＭに予め記録された閾値（例えば８００）と比較する。ここで「Ｎｌ≧８００」を判断したときにはステップＳ３６へ移行し、カウンタＮｌの計測結果から単位値（例えば１０）を減算する。この単位値は制御回路４６のＲＯＭに予め記録されたものであり、ＣＰＵはステップＳ３５で「Ｎｌ＜８００」を判断したときにはステップＳ３７へ移行し、カウンタＮｌの計測結果からＲＯＭに予め記録された単位値（例えば３）を減算する。即ち、左ドア操作装置２５の電磁ソレノイド２６が異常昇温していないときには単位時間（６０秒）が経過する毎に左ドア操作装置２５の電磁ソレノイド２６の現在温度の高低がカウンタＮｌの計測結果に応じて判断され、現在温度の判断結果が高いときにはカウンタＮｌの計測結果から単位値「１０」が減算され、現在温度の判断結果が低いときにはカウンタＮｌの計測結果から単位値「３」が減算される。
【００３８】
左ドアボタン５０の押込み操作が左ドア７の閉鎖状態で繰返されたときにはカウンタＮｌの計測結果が異常判定値（１０００）に到達する。この場合にはＣＰＵはステップＳ２７で「Ｎｌ≧１０００」を判断し、ステップＳ２８で異常昇温フラグＦｌをオンすることに基づいて左ドア操作装置２５の電磁ソレノイド２６が異常昇温していることを記録し、ステップＳ２９でブザー４８をオンする。このブザー４８のオンは制御回路４６のＲＯＭに予め記録された左ドア操作装置２５の専用パターンＰｌで行われるものであり、ブザー４８から専用パターンＰｌで音が出力されている状態で使用者が左ドアボタン５０を操作したときにはステップＳ２３で異常昇温フラグＦｌのオンが判断されるので、左ドア操作装置２５のソレノイドコイル２７に駆動電源が印加されない。即ち、ブザー４８は使用者に左ドア操作装置２５が動作禁止状態にあることを報知するものである。
【００３９】
ＣＰＵは左ドア操作装置２５の動作禁止状態ではステップＳ２７で「Ｎｌ≧１０００」を判断する。この場合にはステップＳ２８からステップＳ２９を経てステップＳ３０へ移行し、タイマＴの加算結果を単位時間「６０ｓｅｃ×Ｎ（Ｎは自然数）」と比較する。ここで「Ｔ＝６０ｓｅｃ×Ｎ」であることを判断したときにはステップＳ３１へ移行し、カウンタＮｌの計測結果からＲＯＭに予め記録された単位値（例えば１０）を減算する。このカウンタＮｌの減算結果が異常判定値未満に下降したときにはステップＳ２７で「Ｎｌ≧１０００」ではないことを判断し、ステップＳ３２で異常昇温フラグＦｌをオフすることに基づいて左ドア操作装置２５の動作禁止を解除し、ステップＳ３３でブザー４８をオフすることに基づいて使用者に左ドア操作装置２５の動作禁止が解除されたことを報知する。
【００４０】
ＣＰＵはステップＳ２６でタイマＴの加算結果が限度時間に到達したことを判断すると、ステップＳ３８で温度センサ４７から出力される温度信号に基づいて室温を検出する。そして、ステップＳ３９で室温の検出結果に定数ｋを乗算することに基づいてポイントＰｏを再び演算し、ステップＳ４０でポイントＰｏの演算結果をカウンタＮｌの計測結果と比較する。ここで「Ｎｌ≦Ｐｏ」であることを判断したときにはステップＳ４１でポイントＰｏの演算結果をカウンタＮｌにセットし、「Ｎｌ＞Ｐｏ」であることを判断したときにはカウンタＮｌの計測結果にポイントＰｏの演算結果をセットしない。即ち、ポイントＰｏの演算結果がカウンタＮｌの計測結果以下であるときにはカウンタＮｌがポイントＰｏの演算結果を基準に再び加減算され、ポイントＰｏの演算結果がカウンタＮｌの計測結果を上回るときにはカウンタＮｌが現在の計測結果を基準に再び加減算される。
【００４１】
ＣＰＵは図５のステップＳ１０の左ドア開放処理を終えると、ステップＳ１１の右ドア開放処理へ移行する。図７は右ドア開放処理の詳細を示すものであり、ＣＰＵは右ドアボタン５１が押込み位置に操作されていない状態ではステップＳ５１で右ドア開放スイッチ５４がオンされていないことを判断し、ステップＳ５６でタイマＴの計測結果が限度時間（３時間）に到達していないことを判断し、ステップＳ５７でカウンタＮｒの計測結果を異常判定値（１０００）と比較する。例えば右ドア操作装置３４の電磁ソレノイド２６が異常昇温していない状態ではステップＳ５７で「Ｎｒ＜１０００」を判断し、ステップＳ６２で異常昇温フラグＦｒをオフし、ステップＳ６３でブザー４８をオフし、ステップＳ６４で単位時間（６０秒）の経過の有無を判断する。このステップＳ６４で単位時間が経過したことを判断したときにはステップＳ６５でカウンタＮｒの計測結果を閾値（８００）と比較し、「Ｎｒ≧８００」を判断したときにはステップＳ６６でカウンタＮｒの計測結果から単位値（１０）を減算し、「Ｎｒ＜８００」を判断したときにはステップＳ６７でカウンタＮｒの計測結果から単位値（３）を減算する。
【００４２】
右ドア操作装置３４の電磁ソレノイド２６が異常昇温しておらずに右ドア８が閉鎖状態に操作された状態で使用者が右ドアボタン５１を押込み位置に操作したときにはＣＰＵはステップＳ５１で右ドア開放スイッチ５４のオンを検出し、ステップＳ５２で右ドアスイッチ５７がオンされていることを判断し、ステップＳ５３で異常昇温フラグＦｒがオフされていることを判断する。そして、ステップＳ５４で右ドア操作装置３４のソレノイドコイル２７をオンすることに基づいて右ドア８を閉鎖状態から前方へ回動操作し、ステップＳ５５でカウンタＮｒの計測結果に単位値（４）を加算する。この右ドアボタン５１の押込み操作が繰返されたときにはＣＰＵはステップＳ５７で「Ｎｒ≧１０００」を判断し、ステップＳ５８で異常昇温フラグＦｒをオンし、ステップＳ５９でブザー４８から右ドア装置３４の専用パターンＰｒで音を出力する。このブザー４８の作動状態で使用者が右ドアボタン５１を押込み位置に操作したときにはステップＳ５３で異常昇温フラグＦｒのオンが判断されるので、右ドア操作装置３４のソレノイドコイル２７に駆動電源が印加されずに右ドアボタン５１の操作が無効化される。
【００４３】
ＣＰＵは異常昇温フラグＦｒのオン状態ではステップＳ６０で単位時間（６０秒）が経過したことを判断する毎にステップＳ６１でカウンタＮｒの計測結果から単位値（１０）を減算しており、カウンタＮｒの計測結果は時間が経過することに応じて下降する。このカウンタＮｒの計測結果が異常判定値未満に下降したときにはＣＰＵはステップＳ５７で「Ｎｒ＜１０００」を判断し、ステップＳ６２へ移行する。ここで異常昇温フラグＦｒをオフすることに基づいて右ドア操作装置３４の動作禁止状態を解除し、ステップＳ６３でブザー４８をオフすることに基づいて右ドア操作装置３４の動作禁止状態が解除されたことを使用者に報知する。
【００４４】
ＣＰＵはステップＳ５６でタイマＴの加算結果が限度時間に到達したことを判断すると、ステップＳ６８でポイントＰｏの演算結果をカウンタＮｒの計測結果と比較する。このポイントＰｏはＣＰＵが図６の左ドア開放処理のステップＳ３９で演算したものであり、ＣＰＵは図７のステップＳ６８で「Ｎｒ≦Ｐｏ」を判断したときにはステップＳ６９でカウンタＮｒにポイントＰｏの演算結果をセットし、「Ｎｒ＞Ｐｏ」を判断したときにはカウンタＮｒの計測結果にポイントＰｏの演算結果をセットしない。
【００４５】
ＣＰＵは図５のステップＳ１１の右ドア開放処理を終えると、ステップＳ１２の下スライドドア開放処理へ移行する。図８は下スライドドア開放処理の詳細を示すものであり、ＣＰＵは下スライドドアボタン５２が押込み位置に操作されていない状態ではステップＳ７１で下スライドドア開放スイッチ５５がオンされていないことを判断し、ステップＳ７６でタイマＴの計測結果が限度時間に到達していないことを判断し、ステップＳ７７でカウンタＮｄの計測結果を異常判定値と比較する。例えば下スライドドア操作装置３６の電磁ソレノイド３７が異常昇温していない状態ではステップＳ７７で「Ｎｄ＜１０００」を判断し、ステップＳ８２で異常昇温フラグＦｄをオフし、ステップＳ８３でブザー４８をオフし、ステップＳ８４で単位時間の経過の有無を判断する。このステップＳ８４で単位時間が経過したことを判断したときにはステップＳ８５でカウンタＮｄの計測結果を閾値と比較し、「Ｎｄ≧８００」を判断したときにはステップＳ８６でカウンタＮｄの計測結果から単位値を減算し、「Ｎｄ＜８００」を判断したときにはステップＳ８７でカウンタＮｄの計測結果から別の単位値を減算する。
【００４６】
下スライドドア操作装置３６の電磁ソレノイド３７が異常昇温しておらずに下スライドドア１８が閉鎖状態に操作された状態で使用者が下スライドドアボタン５２を押込み位置に操作したときにはＣＰＵはステップＳ７１で下スライドドア開放スイッチ５５のオンを検出し、ステップＳ７２で下スライドドアスイッチ５８がオンされていることを判断し、ステップＳ７３で異常昇温フラグＦｄがオフされていることを判断する。そして、ステップＳ７４で下スライドドア操作装置３６のソレノイドコイル３９をオンすることに基づいて下スライドドア１８を閉鎖状態から前方へ移動操作し、ステップＳ７５でカウンタＮｄの計測結果に単位値を加算する。この下スライドドアボタン５２の押込み操作が繰返されたときにはＣＰＵはステップＳ７７で「Ｎｄ≧１０００」を判断し、ステップＳ７８で異常昇温フラグＦｄをオンし、ステップＳ７９でブザー４８から下スライドドア操作装置３６の専用パターンＰｄで音を出力する。このブザー４８の作動状態で使用者が下スライドドアボタン５２を押込み位置に操作したときにはステップＳ７３で異常昇温フラグＦｄのオンが判断されるので、下スライドドア操作装置３６のソレノイドコイル３９に駆動電源が印加されずに下スライドドアボタン５２の操作が無効化される。
【００４７】
ＣＰＵは異常昇温フラグＦｄのオン状態ではステップＳ８０で単位時間が経過したことを判断する毎にステップＳ８１でカウンタＮｄの計測結果から単位値を減算しており、カウンタＮｄの計測結果は時間が経過することに応じて下降する。このカウンタＮｄの計測結果が異常判定値未満に下降したときにはＣＰＵはステップＳ７７で「Ｎｄ＜１０００」を判断し、ステップＳ８２へ移行する。ここで異常昇温フラグＦｄをオフすることに基づいて下スライドドア操作装置３６の動作禁止状態を解除し、ステップＳ８３でブザー４８をオフすることに基づいて下スライドドア操作装置３６の動作禁止状態が解除されたことを使用者に報知する。
【００４８】
ＣＰＵはステップＳ７６でタイマＴの加算結果が限度時間に到達したことを判断すると、ステップＳ８８でポイントＰｏの演算結果をカウンタＮｄの計測結果と比較する。このポイントＰｏはＣＰＵが図６の左ドア開放処理のステップＳ３９で演算したものであり、ＣＰＵは図８のステップＳ８８で「Ｎｄ≦Ｐｏ」を判断したときにはステップＳ８９でカウンタＮｄにポイントＰｏの演算結果をセットし、「Ｎｄ＞Ｐｏ」を判断したときにはカウンタＮｄの計測結果にポイントＰｏの演算結果をセットせず、いずれの場合にもステップＳ９０でタイマＴを「０」にリセットする。
【００４９】
上記実施例１によれば次の効果を奏する。
左ドア操作装置２５の電磁ソレノイド２６が異常昇温していないときには使用者が左ドアボタン５０を操作することに基づいて左ドア操作装置２５を作動させ、左ドア７を閉鎖状態から前方へ移動操作した。この左ドア操作装置２５の電磁ソレノイド２６が異常昇温しているときにはブザー４８から使用者に音を出力し、左ドアボタン５０を操作しても左ドア操作装置２５が作動しないことを音で報知した。このため、左ドア７と右ドア８と下スライドドア１８と左スライドドア２０と右スライドドア２１のそれぞれに表示器が設けられていない場合であっても使用者に左ドアボタン５０が無効化されていることを知らせることができる。この効果は右ドアボタン５１および下スライドドアボタン５２のそれぞれについても同一である。
［実施例２］
図９は制御回路４６のＣＰＵが図６の左ドア開放処理に換えて実行する左ドア開放処理を示すものであり、ＣＰＵはカウンタＮｌが異常判定値に到達している状態ではステップＳ２８で異常昇温フラグＦｌをオンし、ステップＳ２９でブザー４８を専用パターンＰｌで鳴動させ、ステップＳ４２で異常昇温フラグＦｒがオフされているか否かを判断する。例えば右ドア操作装置３４の電磁ソレノイド２６が異常昇温していない状態ではステップＳ４２で異常昇温フラグＦｒがオフされていることを判断し、ステップＳ４３で右ドアスイッチ５７がオンされているか否かを判断する。
【００５０】
ＣＰＵは右ドア８が閉鎖状態に操作されているときにはステップＳ４３で右ドアスイッチ５７がオンされていることを判断し、ステップＳ４４で右ドア操作装置３４のソレノイドコイル２７に駆動電源を印加する。そして、ステップＳ４５へ移行し、表示器４９に異常メッセージ「左ドアボタンは操作できません。左ドアは手動で操作して下さい」を表示することに基づいて左ドア操作装置２５が動作禁止状態にあることを報知する。即ち、左ドア操作装置２５の電磁ソレノイド２６が異常昇温したときには右ドア８が閉鎖状態から前方へ強制的に操作されることに基づいて表示器４９が視覚的に認識可能に開放され、左ドアボタン５０が無効化されていることが表示器４９を用いて使用者に報知される。この右ドア８の強制操作は右ドア操作装置３４の電磁ソレノイド２６が異常昇温していないことを条件に実行されるものであり、右ドア操作装置３４の電磁ソレノイド２６が異常昇温しているときには右ドア８の強制操作および異常メッセージの表示のそれぞれが実行されない。
【００５１】
ＣＰＵはステップＳ２７でカウンタＮｌの計測結果が異常判定値未満に下降したことを判断すると、ステップＳ３２で異常昇温フラグＦｌをオフし、ステップＳ３３でブザー４８をオフする。そして、ステップＳ４６へ移行し、表示器４９から異常メッセージ「左ドアボタンは操作できません。左ドアは手動で操作して下さい」を消去する。
【００５２】
図１０は制御回路４６のＣＰＵが図８の下スライドドア開放処理に換えて実行する下スライドドア開放処理を示すものであり、ＣＰＵはカウンタＮｄが異常判定値に到達している状態ではステップＳ７８で異常昇温フラグＦｄをオンし、ステップＳ７９でブザー４８を専用パターンＰｄで鳴動させ、ステップＳ９１で異常昇温フラグＦｒがオフされているか否かを判断する。例えば右ドア操作装置３４の電磁ソレノイド２６が異常昇温していない状態ではステップＳ９１で異常昇温フラグＦｒがオフされていることを判断し、ステップＳ９２で右ドアスイッチ５７がオンされているか否かを判断する。
【００５３】
ＣＰＵは右ドア８が閉鎖状態に操作されているときにはステップＳ９２で右ドアスイッチ５７がオンされていることを判断し、ステップＳ９３で右ドア操作装置３４のソレノイドコイル２７に駆動電源を印加する。そして、ステップＳ９４へ移行し、表示器４９に異常メッセージ「下スライドドアボタンは操作できません。下スライドドアは手動で操作して下さい」を表示することに基づいて下スライドドア操作装置３６が動作禁止状態にあることを報知する。即ち、下スライドドア操作装置３６の電磁ソレノイド３７が異常昇温したときには右ドア８が閉鎖状態から前方へ強制的に操作されることに基づいて表示器４９が視覚的に認識可能に開放され、下スライドドアボタン５２が無効化されていることが表示器４９の表示内容によって使用者に報知される。この右ドア８の強制操作は右ドア操作装置３４の電磁ソレノイド２６が異常昇温していないことを条件に実行されるものであり、右ドア操作装置３４の電磁ソレノイド２６が異常昇温しているときには右ドア８の強制操作および異常メッセージの表示のそれぞれが実行されない。
【００５４】
ＣＰＵはステップＳ７７でカウンタＮｄの計測結果が異常判定値未満に下降したことを判断すると、ステップＳ８２で異常昇温フラグＦｄをオフし、ステップＳ８３でブザー４８をオフする。そして、ステップＳ９５へ移行し、表示器４９から異常メッセージ「下スライドドアボタンは操作できません。下スライドドアは手動で操作して下さい」を消去する。
【００５５】
上記実施例２によれば次の効果を奏する。
左ドア操作装置２５の電磁ソレノイド２６が異常昇温しているときには右ドア操作装置３４の電磁ソレノイド２６が異常昇温していないことを条件に表示器４９に異常メッセージ「左ドアボタンは操作できません。左ドアは手動で操作して下さい」を表示し、右ドア操作装置３４を作動させることに基づいて右ドア８を閉鎖状態から前方へ操作した。このため、表示器４９の表示内容が視覚的に認識可能になるので、左ドア７と右ドア８と下スライドドア１８と左スライドドア２０と右スライドドア２１のそれぞれに表示器が設けられていない場合であっても使用者に左ドアボタン５０が無効化されていることを知らせることができる。この効果は下スライドドア１８についても同一である。
【００５６】
上記実施例１〜実施例２のそれぞれにおいては、ブザー４８に換えて出力器に相当するスピーカを用いても良い。この構成の場合、左ドア操作装置２５の電磁ソレノイド２６が異常昇温しているときにはスピーカから「左ドアボタンは操作できません。左ドアは手動で操作して下さい」等の音声を出力し、右ドア操作装置３４の電磁ソレノイド２６が異常昇温しているときにはスピーカから「右ドアボタンは操作できません。右ドアは手動で操作して下さい」等の音声を出力し、下スライドドア操作装置３６の電磁ソレノイド３７が異常昇温しているときにはスピーカから「下スライドドアボタンは操作できません。下スライドドアは手動で操作して下さい」等の音声を出力すると良い。
【００５７】
上記実施例１〜実施例２のそれぞれにおいては、左ドア７と右ドア８と下スライドドア１８と左スライドドア２０と右スライドドア２１のいずれかにブザー４８またはスピーカを装着しても良い。
【図面の簡単な説明】
【００５８】
【図１】本発明の実施例１を示す図（冷蔵庫の外観を示す図）
【図２】左ドア操作装置および右ドア操作装置のそれぞれを示す断面図
【図３】下スライドドア操作装置を示す断面図
【図４】電気的構成を示すブロック図
【図５】制御回路の処理内容を示すフローチャート
【図６】制御回路の左ドア開放処理を示すフローチャート
【図７】制御回路の右ドア開放処理を示すフローチャート
【図８】制御回路の下スライドドア開放処理を示すフローチャート
【図９】本発明の実施例２を示す（図６相当図）
【図１０】図８相当図
【符号の説明】
【００５９】
１はキャビネット、６は冷蔵室（貯蔵室，第１の貯蔵室）、７は左ドア（ドア，第２のドア）、８は右ドア（ドア，第１のドア）、１４は下冷凍室（貯蔵室，第２の貯蔵室）、１８は下スライドドア（ドア，第２のドア）、２５は左ドア操作装置（ドア操作装置，第２のドア操作装置）、２６は電磁ソレノイド（駆動源）、３４は右ドア操作装置（ドア操作装置，第１のドア操作装置）、３６は下スライドドア操作装置（ドア操作装置，第２のドア操作装置）、３７は電磁ソレノイド（駆動源）、４６は制御回路、４８はブザー（出音器）、４９は表示器、５０は左ドアボタン（操作子，第２の操作子）、５１は右ドアボタン（操作子，第１の操作子）、５２は下スライドドアボタン（操作子，第２の操作子）、５３は左ドア開放スイッチ（スイッチ，第２のスイッチ）、５４は右ドア開放スイッチ（スイッチ，第１のスイッチ）、５５は下スライドドア開放スイッチ（スイッチ，第２のスイッチ）を示している。
【図１】
2009063180.tif 000003
【図２】
2009063180.tif 000004
【図３】
2009063180.tif 000005
【図４】
2009063180.tif 000006
【図５】
2009063180.tif 000007
【図６】
2009063180.tif 000008
【図７】
2009063180.tif 000009
【図８】
2009063180.tif 000010
【図９】
2009063180.tif 000011
【図１０】
2009063180.tif 000012